(57)【要約】【課題】レンズユニットと本体ユニットとから構成される撮像システムの省電力化を図る。【解決手段】レンズユニット１２は、カメラ本体に着脱自在に取り付けられ、カメラ本体とともにカメラシステムを構成する。このレンズユニット１２には、撮影レンズ１３によって結像された被写体光を撮像して被写体光に応じた画像データを取得するＣＣＤ１４が設けられている。ＣＣＤ１４で取得された画像データは、メモリカード６５に記録される。また、画像データは、画素間引回路６０に入力される。画素間引回路６０は、入力された画像データの画素を間引いて所定のデータ量に縮小した間引き画像データを作成する。作成された間引き画像データは、制御用シリアルドライバ６１を介して、カメラ本体に転送される。カメラ本体は、受信した間引き画像データを、撮影結果としてＬＣＤに表示する。【選択図】図３
2007110314.tif 000002
【特許請求の範囲】
【請求項１】
撮影レンズによって結像された被写体光を撮像して前記被写体光に応じた第１画像データを取得する撮像素子が設けられたレンズユニットと、このレンズユニットを着脱自在に保持する本体ユニットとからなる撮像システムにおいて、
前記レンズユニットは、前記第１画像データを記録する第１記憶手段と、前記第１画像データの画素を間引いてデータ量を縮小した第２画像データを作成する間引き画像作成手段と、前記第２画像データを前記本体ユニットへと転送する第１通信手段とを有し、
前記本体ユニットは、前記第１通信手段から転送された前記第２画像データを受信する第２通信手段と、受信した前記第２画像データを撮影結果として表示する表示手段とを有することを特徴とする撮像システム。
【請求項２】
前記本体ユニットに、前記第１画像データを記録する第２記憶手段を備え、
取得された前記第１画像データを前記第１記憶手段に記録するとともに、前記第１画像データから前記第２画像データを作成して前記本体ユニットに転送し、前記第２画像データを前記表示手段に表示させるレンズ側記録モードと、
取得された前記第１画像データを前記本体ユニットに転送して前記第２記憶手段に記録するとともに、その前記第１画像データを前記表示手段に表示させる本体側記録モードとを設けたことを特徴とする請求項１記載の撮像システム。
【請求項３】
前記レンズユニットは、前記第１記憶手段の残容量を検出する第１残容量検出手段と、検出された残容量が前記第１画像データのデータ量以上空いているか否かを判定する第１判定手段とを有し、
前記本体ユニットは、前記第１判定手段が前記データ量以下であると判定したことに応じて、前記第１記憶手段の残容量がないこと警告する警告手段を有することを特徴とする請求項１又は２記載の撮像システム。
【請求項４】
前記本体ユニットは、前記第２記憶手段の残容量を検出する第２残容量検出手段と、検出された残容量が前記第１画像データのデータ量以上空いているか否かを判定する第２判定手段とを有し、
前記警告手段は、前記第２判定手段が前記データ量以下であると判定したことに応じて、前記第２記憶手段の残容量がないこと警告することを特徴とする請求項３記載の撮像システム。
【請求項５】
前記第１判定手段と前記第２判定手段とは、前記第１記憶手段と前記第２記憶手段とのそれぞれの残容量が、前記第１画像データのデータ量以上空いているか否かを判定するとともに、前記データ量以上に設定された設定値以上空いているか否かの判定も行い、
前記警告手段は、前記第１判定手段が前記設定値以下かつ前記データ量以上であると判定したことに応じて、前記第１記憶手段の残容量が少ないこと警告し、前記第２判定手段が前記設定値以下かつ前記データ量以上であると判定したことに応じて、前記第２記憶手段の残容量が少ないこと警告することを特徴とする請求項４記載の撮像システム。
【請求項６】
前記第１判定手段が前記第１記憶手段の残容量が前記データ量以上空いていると判定し、前記第２判定手段が前記第２記憶手段の残容量が前記データ量以下であると判定した際に、前記レンズ側記録モードを設定するとともに、前記第１判定手段が前記第１記憶手段の残容量が前記データ量以下であると判定し、前記第２判定手段が前記第２記憶手段の残容量が前記データ量以上空いていると判定した際に、前記本体側記録モードを設定する記録モード制御手段を、前記レンズユニットと前記本体ユニットとの一方に設けたことを特徴とする請求項４又は５記載の撮像システム。
【請求項７】
前記記録モード制御手段は、前記第１判定手段と前記第２判定手段とによって、前記第１記憶手段と前記第２記憶手段との双方の残容量が前記データ量以下であると判定された際に、前記撮像素子による撮像と、前記通信手段による前記第１画像データ又は前記第２画像データの転送と、前記第１記憶手段又は前記第２記憶手段への前記第１画像データの記録とのいずれかの動作を禁止することを特徴とする請求項６記載の撮像システム。
【請求項８】
前記第１通信手段と前記第２通信手段とは、前記レンズユニットと前記本体ユニットとで種々の制御信号を送受し合う制御用通信ラインと、前記レンズユニットから前記本体ユニットへと前記第１画像データを転送する画像用通信ラインとから構成されており、前記第２画像データは、前記制御用通信ラインから前記本体ユニットへと転送されることを特徴とする請求項１から７のいずれか１項に記載の撮像システム。
【請求項９】
撮影レンズによって結像された被写体光を撮像して前記被写体光に応じた第１画像データを取得する撮像素子が設けられたレンズユニットと、このレンズユニットを着脱自在に保持する本体ユニットとからなる撮像システムの制御方法において、
前記撮像素子によって取得された前記第１画像データを、前記レンズユニットに設けられた記憶手段に記録し、
前記第１画像データから画素を間引いてデータ量を縮小した第２画像データを作成し、
作成した前記第２画像データを前記本体ユニットに転送して、前記本体ユニットに設けられた表示手段に撮影結果として表示することを特徴とする制御方法。
【発明の詳細な説明】
【技術分野】
【０００１】
本発明は、撮影レンズと撮像素子とを内蔵したレンズユニットと、このレンズユニットを着脱自在に保持する本体ユニットとからなる撮像システムに関する。
【背景技術】
【０００２】
近年、ＣＣＤイメージセンサなどの撮像素子によって撮像された被写体光をデジタルの画像データに変換し、内蔵メモリやメモリカードなどの記憶媒体に記憶するデジタルカメラが普及している。こうしたデジタルカメラの中には、撮像素子を備えたカメラ本体に対して撮影レンズを着脱自在にすることにより、異なるレンズ特性を容易に得られるようにしたデジタルカメラ（いわゆる、一眼レフタイプ）も知られている。
【０００３】
ところが、撮影レンズの着脱を可能にしたデジタルカメラでは、撮影レンズの交換の際に撮像素子が露呈するため、撮像面やその周辺に塵埃が付着して画質を劣化させてしまうという問題があった。このため、撮影レンズと撮像素子とをユニット化（以下、レンズユニットと称す）し、このレンズユニットをカメラ本体に着脱自在に装着することによって、撮像素子を露呈させずに撮影レンズの交換を行えるようにしたカメラシステムが、例えば、特許文献１などで提案されている。このカメラシステムでは、レンズユニットとカメラ本体とをコネクタを介して電気的に接続し、種々の制御信号を互いに送受することによって被写体光の撮像を行っている。
【特許文献１】特開２０００−１０６６４０号公報
【発明の開示】
【発明が解決しようとする課題】
【０００４】
しかしながら、上記カメラシステムでは、撮影画像を表示部に表示したり、メモリカードに記録したりするため、撮像素子によって取得した画像データをレンズユニットからカメラ本体に転送しなければならないが、この画像データの転送にかかる消費電力が大きいという問題があった。携帯電子機器であるカメラシステムでは、電源に電池などが用いられるため、駆動時間を延長させる上で省電力化が望まれていた。
【０００５】
本発明は、上記課題を鑑みてなされたものであって、レンズユニットと本体ユニットとから構成される撮像システムの省電力化を図ることを目的とする。
【課題を解決するための手段】
【０００６】
上記課題を達成するため、本発明の撮像システムは、撮影レンズによって結像された被写体光を撮像して前記被写体光に応じた第１画像データを取得する撮像素子が設けられたレンズユニットと、このレンズユニットを着脱自在に保持する本体ユニットとからなり、前記レンズユニットに、前記第１画像データを記録する第１記憶手段と、前記第１画像データの画素を間引いてデータ量を縮小した第２画像データを作成する間引き画像作成手段と、前記第２画像データを前記本体ユニットへと転送する第１通信手段とを設け、前記本体ユニットに、前記第１通信手段から転送された前記第２画像データを受信する第２通信手段と、受信した前記第２画像データを撮影結果として表示する表示手段とを設けたことを特徴とする。
【０００７】
なお、前記本体ユニットに、前記第１画像データを記録する第２記憶手段を備え、取得された前記第１画像データを前記第１記憶手段に記録するとともに、前記第１画像データから前記第２画像データを作成して前記本体ユニットに転送し、前記第２画像データを前記表示手段に表示させるレンズ側記録モードと、取得された前記第１画像データを前記本体ユニットに転送して前記第２記憶手段に記録するとともに、その前記第１画像データを前記表示手段に表示させる本体側記録モードとを設けることが好ましい。
【０００８】
また、前記レンズユニットは、前記第１記憶手段の残容量を検出する第１残容量検出手段と、検出された残容量が前記第１画像データのデータ量以上空いているか否かを判定する第１判定手段とを有し、前記本体ユニットは、前記第１判定手段が前記データ量以下であると判定したことに応じて、前記第１記憶手段の残容量がないこと警告する警告手段を有することが好ましい。
【０００９】
さらに、前記本体ユニットは、前記第２記憶手段の残容量を検出する第２残容量検出手段と、検出された残容量が前記第１画像データのデータ量以上空いているか否かを判定する第２判定手段とを有し、前記警告手段は、前記第２判定手段が前記データ量以下であると判定したことに応じて、前記第２記憶手段の残容量がないこと警告することが好ましい。
【００１０】
なお、前記第１判定手段と前記第２判定手段とは、前記第１記憶手段と前記第２記憶手段とのそれぞれの残容量が、前記第１画像データのデータ量以上空いているか否かを判定するとともに、前記データ量以上に設定された設定値以上空いているか否かの判定も行い、前記警告手段は、前記第１判定手段が前記設定値以下かつ前記データ量以上であると判定したことに応じて、前記第１記憶手段の残容量が少ないこと警告し、前記第２判定手段が前記設定値以下かつ前記データ量以上であると判定したことに応じて、前記第２記憶手段の残容量が少ないこと警告することが好ましい。
【００１１】
また、前記第１判定手段が前記第１記憶手段の残容量が前記データ量以上空いていると判定し、前記第２判定手段が前記第２記憶手段の残容量が前記データ量以下であると判定した際に、前記レンズ側記録モードを設定するとともに、前記第１判定手段が前記第１記憶手段の残容量が前記データ量以下であると判定し、前記第２判定手段が前記第２記憶手段の残容量が前記データ量以上空いていると判定した際に、前記本体側記録モードを設定する記録モード制御手段を、前記レンズユニットと前記本体ユニットとの一方に設けてもよい。
【００１２】
さらに、前記記録モード制御手段は、前記第１判定手段と前記第２判定手段とによって、前記第１記憶手段と前記第２記憶手段との双方の残容量が前記データ量以下であると判定された際に、前記撮像素子による撮像と、前記通信手段による前記第１画像データ又は前記第２画像データの転送と、前記第１記憶手段又は前記第２記憶手段への前記第１画像データの記録とのいずれかの動作を禁止することが好ましい。
【００１３】
なお、前記第１通信手段と前記第２通信手段とは、前記レンズユニットと前記本体ユニットとで種々の制御信号を送受し合う制御用通信ラインと、前記レンズユニットから前記本体ユニットへと前記第１画像データを転送する画像用通信ラインとから構成されており、前記第２画像データは、前記制御用通信ラインから前記本体ユニットへと転送されることが好ましい。
【００１４】
また、本発明の制御手段は、撮影レンズによって結像された被写体光を撮像して前記被写体光に応じた第１画像データを取得する撮像素子が設けられたレンズユニットと、このレンズユニットを着脱自在に保持する本体ユニットとからなる撮像システムにあって、前記撮像素子によって取得された前記第１画像データを、前記レンズユニットに設けられた記憶手段に記録し、前記第１画像データから画素を間引いてデータ量を縮小した第２画像データを作成し、作成した前記第２画像データを前記本体ユニットに転送して、前記本体ユニットに設けられた表示手段に撮影結果として表示することを特徴とする。
【発明の効果】
【００１５】
本発明によれば、データ量の大きい第１画像データをレンズユニットに設けられた第１記憶手段に記録し、画素を間引いてデータ量を縮小した第２画像データを本体ユニットに転送するようにしたので、データ転送にかかる電力消費を抑えて撮像システムの省電力化を図ることができる。
【発明を実施するための最良の形態】
【００１６】
図１は、カメラシステム（撮像システム）１０の構成を概略的に示す斜視図である。カメラシステム１０は、カメラ本体（本体ユニット）１１とレンズユニット１２とから構成されている。レンズユニット１２は、前面に露呈した撮影レンズ１３と、この撮影レンズ１３が結像した被写体光を光電変換するＣＣＤ（撮像素子）１４とを有している。カメラ本体１１は、レンズユニット１２を着脱自在に保持し、種々の制御信号を送受してＣＣＤ１４などを駆動することにより、被写体光に応じたデジタルの画像データを取得する。
【００１７】
また、レンズユニット１２は、例えば、撮影レンズ１３の焦点距離が異なるもの、ＣＣＤ１４の画素数が異なるもの、モノクロ撮影が可能なもの、赤外線撮影が可能なものなど、複数種類のものが予め用意される。カメラシステム１０は、これらの各レンズユニット１２を選択的にカメラ本体１１に装着することにより、撮影状況に応じた画像データを容易に得られるようにしている。
【００１８】
レンズユニット１２の背面には、バヨネット爪１６が形成されたマウント部１５が設けられている。一方、このマウント部１５と対面するカメラ本体１１の前面には、バヨネット溝１９が形成されたマウント部１８が設けられている。各マウント部１５、１８は、バヨネット爪１６をバヨネット溝１９に位置合わせして押し込み、時計方向に回転させることによって互いに嵌合する。また、バヨネット爪１６とバヨネット溝１９とには、それぞれ複数の接点１６ａ、１９ａ（図４参照）が設けられている。各接点１６ａ、１９ａは、バヨネット爪１６とバヨネット溝１９とが嵌合した際に、互いに接触するように位置が合わせられている。つまり、各マウント部１５、１８は、バヨネット爪１６とバヨネット溝１９とによってカメラ本体１１とレンズユニット１２とを機械的に接続するとともに、各接点１６ａ、１９ａによって電気的にも接続する。
【００１９】
また、マウント部１８には、ロックピン２０とマウント蓋２１とが設けられている。ロックピン２０は、レンズユニット１２がカメラ本体１１に装着された際に、マウント部１５に形成されたピン孔（図示は省略）と係合してレンズユニット１２の回転を規制し、レンズユニット１２がカメラ本体１１から脱落することを防止する。マウント蓋２１は、前面に向けてバネ付勢されており、レンズユニット１２が装着されていない時にバヨネット爪１６が入り込む開口を内側から塞ぎ、カメラ本体１１内に塵埃などが侵入することを防止する。
【００２０】
カメラ本体１１の前面には、マウント部１８の他に、ロックピン２０の係合を解除するロック解除ボタン２２と、シャッタレリーズに応じて被写体を照射するストロボ発光部２４とが設けられている。ロック解除ボタン２２が押圧操作されると、この操作に連動してロックピン２０がカメラ本体１１内に退避し、ロックピン２０とピン孔との係合が解除される。これにより、レンズユニット１２の回転が再び許容され、カメラ本体１１からの取り外しが可能になる。
【００２１】
カメラ本体１１の上面には、カメラシステム１０にシャッタレリーズ指示を与えるレリーズボタン２５と、静止画撮影を行う撮影モードと撮影した画像を再生表示する再生モードとの切り替えを行うためのモード切替ダイヤル２６とが設けられている。レリーズボタン２５は、２段階押しのスイッチとなっている。レリーズボタン２５を軽く押圧（半押し）すると、自動露出調整（ＡＥ）、自動焦点調整（ＡＦ）などの各種撮影準備処理が施される。この状態でレリーズボタン２５をもう一度強く押圧（全押し）すると、撮影準備処理が施された１画面分の撮像信号が画像データに変換される。
【００２２】
図２は、カメラ本体１１を背面から見た平面図である。カメラ本体１１の背面には、カメラシステム１０の電源のＯＮ／ＯＦＦを切り替える電源スイッチ２８と、撮影した画像やスルー画像、及び各種のメニュー画面などを表示するＬＣＤ（表示手段）３０と、カメラシステム１０に対して種々の指示を入力するための操作部３２とが設けられている。操作部３２には、例えば、撮影レンズ１３のズームをワイド側、及びテレ側に変倍させるズーム操作ボタン３３、ＬＣＤ３０にメニュー画面を表示させる際や選択内容を決定する際などに操作されるメニューボタン３４、及びメニュー画面内でカーソルを移動させる十字キー３５などが配設されている。
【００２３】
図３は、レンズユニット１２の内部構成を概略的に示すブロック図である。撮影レンズ１３は、光軸に沿って配列されたズームレンズ４０、絞り４１、及びフォーカスレンズ４２によって構成されている。ズームレンズ４０には、レンズモータ４３が接続されている。レンズモータ４３は、ズーム操作ボタン３３の操作に連動して、ズームレンズ４０をワイド側、もしくはテレ側に移動させる。絞り４１には、アイリスモータ４４が接続されている。アイリスモータ４４は、レリーズボタン２５の半押しにともなう撮影準備処理の際に、絞り４１の開口面積（絞り値）を変化させてズームレンズ４０から入射する光の量を調節する。また、フォーカスレンズ４２には、レンズモータ４５が接続されている。レンズモータ４５は、ズームレンズ４０の変倍やレリーズボタン２５の半押しにともなって、フォーカスレンズ４２を至近側、もしくは無限遠側に移動させる。
【００２４】
各モータ４３、４４、４５は、モータドライバ４６に接続されている。モータドライバ４６は、システムバス４７を介してレンズユニット１２を統括的に制御するレンズＣＰＵ４８に接続されており、このレンズＣＰＵ４８からの制御信号に基づいて各モータ４３、４４、４５に駆動パルスを送信する。各モータ４３、４４、４５は、この駆動パルスに応じて回転軸を回転駆動する。なお、各モータ４３、４４、４５としては、例えば、ステッピングモータなどが用いられる。
【００２５】
撮影レンズ１３の背後には、撮影レンズ１３を透過した被写体光を撮像するＣＣＤ１４が配置されている。ＣＣＤ１４には、レンズＣＰＵ４８によって制御されるタイミングジェネレータ（ＴＧ）４９が接続され、このＴＧ４９から入力されるタイミング信号（クロックパルス）により、電子シャッタのシャッタ速度が決定される。
【００２６】
ＣＣＤ１４から出力された撮像信号は、相関二重サンプリング回路（ＣＤＳ）５０に入力される。ＣＤＳ５０は、相関二重サンプリングを行うことによって撮像信号からノイズの除去を行う。増幅器（ＡＭＰ）５１は、ＣＤＳ５０からノイズを除去した撮像信号を受け取り、レンズＣＰＵ４８によって設定される撮影感度に応じたゲインで撮像信号を増幅する。Ａ／Ｄ変換器（Ａ／Ｄ）５２は、ＡＭＰ５１から増幅後の撮像信号を受け取ってデジタル変換し、画像データとして出力する。
【００２７】
画像信号処理回路５３は、階調変換、ホワイトバランス補正、ガンマ補正などの各種画像処理を、Ａ／Ｄ５２から入力された画像データに対し、処理後の画像データをシステムメモリ５４に一時的に記録する。システムメモリ５４は、ＲＯＭやＲＡＭなどから構成されるものであって、各種制御用のプログラムや設定情報などを記録するとともに、これらのプログラムなどを展開する作業用メモリとして用いられる。ＹＣ変換処理回路５５は、画像信号処理回路５３で各種処理を施された画像データをシステムメモリ５４から読み出し、ＲＧＢの画像データを輝度信号Ｙと色差信号Ｃｒ、Ｃｂとに変換して再びシステムメモリ５４に記録する。また、圧縮伸長処理回路５６は、ＹＣ変換処理回路５５でＹＣ変換された画像データを、例えば、ＴＩＦＦやＪＰＥＧなどといった所定の圧縮形式で圧縮する。
【００２８】
ＡＦ検出回路５７は、いわゆるコントラスト方式のＡＦ処理を行うためのものであり、レリーズボタン２５の半押しにともなう撮影準備処理の際に、Ａ／Ｄ５２でデジタル化された画像データから画像のコントラストを表すフォーカス評価値を算出して、この算出結果をレンズＣＰＵ４８に送信する。フォーカス評価値は、画像の特定のエリア、例えば、撮影画角の中央部分の画像データに対して、ハイパスフィルタなどで輪郭抽出処理を施し、これにより抽出した輪郭信号、及び中央部分の画像データの輝度値を積算することで得られる。なお、フォーカス評価値は、大きい程その部分の高周波成分が多く、その部分が合焦状態にあることを表す。レンズＣＰＵ４８は、フォーカスレンズ４２を所定量ずつ移動させながら複数の位置でのフォーカス評価値を取得し、フォーカス評価値が最も高くなる位置にフォーカスレンズ４２を移動させることによってＡＦ処理を行う。
【００２９】
ＡＥ／ＡＷＢ検出回路５８は、レリーズボタン２５の半押しにともなう撮影準備処理の際に、ＹＣ変換処理回路５５でＹＣ変換された画像データの輝度信号Ｙと色差信号Ｃｒ、Ｃｂとの積算値を基に、露出量、及びホワイトバランスの適否を検出し、この検出結果をレンズＣＰＵ４８に送信する。レンズＣＰＵ４８は、ＡＥ／ＡＷＢ検出回路５８から送信された検出結果に基づいて、絞り４１やＣＣＤ１４などの動作を制御する。
【００３０】
画素間引回路（間引き画像作成手段）６０は、入力された画像データの垂直方向の画素、及び水平方向の画素を任意の間隔で間引き、その画像データのデータ量を縮小する。なお、画素間引回路６０が間引く画像データは、画像信号処理回路５３から出力されたＲＧＢの画像データでもよいし、ＹＣ変換処理回路５５から出力されたＹＣの画像データでもよい。また、ＹＣの画像データを間引く際には、Ｙと、Ｃｒ、Ｃｂとで間引く間隔が違ってもよい。
【００３１】
また、システムバス４７には、制御用シリアルドライバ６１と、画像用シリアルドライバ６２と、メディアコントローラ６３と、残容量検出回路（第１残容量検出手段）６４とが接続されている。制御用シリアルドライバ６１は、マウント部１５のバヨネット爪１６に設けられた接点１６ａを介してカメラ本体１１と接続される。この制御用シリアルドライバ６１は、双方向通信可能に構成されており、例えば、ズームレンズ４０の変倍信号などといった種々の制御信号をカメラ本体１１と送受する際に用いられる。なお、制御用シリアルドライバ６１としては、例えば、ＵＡＲＴ（Universal Asynchronous Receiver Transmiter）などが用いられる。
【００３２】
画像用シリアルドライバ６２は、接点１６ａを介してカメラ本体１１と接続される。この画像用シリアルドライバ６２は、レンズユニット１２からカメラ本体１１へと向かう一方向のみで構成されており、ＣＣＤ１４が取得した画像データをカメラ本体１１に転送する際に用いられる。なお、画像用シリアルドライバ６２としては、例えば、ＬＶＤＳ（Low Voltage Differential Signaling）などが用いられ、制御用シリアルドライバ６１よりも速い転送速度を有している。
【００３３】
メディアコントローラ６３は、レンズユニット１２に着脱自在に装填されるメモリカード（第１記憶手段）６５に対して画像データなどの読み書きを行う。また、残容量検出回路６４は、メディアコントローラ６３を介してメモリカード６５にアクセスし、メモリカード６５の残容量を検出する。
【００３４】
レンズユニット１２は、図示を省略したバッテリ収納室を有しており、このバッテリ収納室にバッテリ６６が着脱自在に保持される。バッテリ６６は、バッテリ収納室に設けられた電極を介してＤＣ／ＤＣコンバータ（ＤＣ／ＤＣ）６７と電源制御回路６８とに接続される。ＤＣ／ＤＣ６７は、バッテリ６６の電圧をレンズユニット１２の各部に供給すべき所定の電圧に降圧、もしくは昇圧する。電源制御回路６８は、カメラ本体１１から送信される電源制御信号に基づいてＤＣ／ＤＣ６７の出力のＯＮ／ＯＦＦを制御する。これにより、ＤＣ／ＤＣ６７によって変圧された電力がレンズユニット１２の各部に供給され、レンズユニット１２が起動する。
【００３５】
図４は、カメラ本体１１の内部構成を概略的に示すブロック図である。カメラ本体１１の各部は、本体ＣＰＵ７０によって統括的に制御される。本体ＣＰＵ７０は、システムバス７１を介して各種制御用のプログラムや設定情報などを記録したシステムメモリ７２に接続されており、このシステムメモリ７２から各プログラムを読み出すことによってカメラ本体１１の各部を制御する。
【００３６】
システムバス７１には、レンズユニット１２と通信するための制御用シリアルドライバ７３と画像用シリアルドライバ７４、及びストロボ制御回路７５、ＬＣＤドライバ７６、メディアコントローラ７７、残容量検出回路（第２残容量検出手段）７８などが接続されている。
【００３７】
制御用シリアルドライバ７３は、各接点１６ａ、１９ａを介してレンズユニット１２の制御用シリアルドライバ６１と接続される。各制御用シリアルドライバ６１、７３は、各ＣＰＵ４８、７０からのパラレルの信号をシリアルの信号に変換して送信し、受信した信号をパラレルの信号に戻して各ＣＰＵ４８、７０に入力する。これにより、カメラ本体１１とレンズユニット１２との間で種々の制御信号が送受される。また、画像用シリアルドライバ７４も同様に、各接点１６ａ、１９ａを介してレンズユニット１２の画像用シリアルドライバ６２と接続され、レンズユニット１２から転送される画像データを受信する。
【００３８】
ストロボ制御回路７５は、本体ＣＰＵ７０、またはレンズＣＰＵ４８から送信されるストロボ発光信号に応じてストロボ発光部２４を発光させる。ＬＣＤドライバ７６は、例えば、入力された画像データをアナログのコンポジット信号に変換してＬＣＤ３０に表示させる。メディアコントローラ７７は、カメラ本体１１に着脱自在に装填されるメモリカード（第２記憶手段）７９に対して画像データなどの読み書きを行う。また、残容量検出回路７８は、メディアコントローラ７７を介してメモリカード７９にアクセスし、メモリカード７９の残容量を検出する。
【００３９】
カメラ本体１１は、図示を省略したバッテリ収納室を有しており、このバッテリ収納室にバッテリ８０が着脱自在に保持される。バッテリ８０は、バッテリ収納室に設けられた電極を介してＤＣ／ＤＣコンバータ（ＤＣ／ＤＣ）８１と電源制御回路８２とに接続される。ＤＣ／ＤＣ８１は、バッテリ８０の電圧をカメラ本体１１の各部に供給すべき所定の電圧に降圧、もしくは昇圧する。電源制御回路８２には、電源スイッチ２８が接続されている。電源制御回路８２は、この電源スイッチ２８の操作に応じてＤＣ／ＤＣ８１の出力のＯＮ／ＯＦＦを制御する。これにより、ＤＣ／ＤＣ６７によって変圧された電力がカメラ本体１１の各部に供給され、カメラ本体１１が起動する。また、バッテリ８０は、各接点１６ａ、１９ａを介してレンズユニット１２のＤＣ／ＤＣ６７と電源制御回路６８とに接続されており、レンズユニット１２のバッテリ６６が消耗してもレンズユニット１２を駆動できるように構成されている。
【００４０】
本体ＣＰＵ７０の入出力ポートの１つは、各接点１６ａ、１９ａを介してレンズユニット１２の電源制御回路６８に接続されている。本体ＣＰＵ７０は、ＤＣ／ＤＣ８１から電力が供給されて起動した後、入出力ポートから電源制御回路６８に電源制御信号を送信し、レンズユニット１２を起動させる。また、本体ＣＰＵ７０の入出力ポートには、操作部３２が接続されている。これにより、メニューボタン３４などの操作が本体ＣＰＵ７０に入力される。
【００４１】
レリーズボタン２５は、各接点１６ａ、１９ａを介してレンズＣＰＵ４８の入出力ポートに接続されている。これにより、レリーズボタン２５の押圧操作に応じたシャッタレリーズ信号がレンズＣＰＵ４８に入力される。前述のようにレリーズボタン２５は、２段階押しのスイッチになっており、シャッタレリーズ信号も半押しと全押しとの２段階に分けられている。レンズＣＰＵ４８は、レリーズボタン２５の半押しに応じてＡＦ検出回路５７とＡＥ／ＡＷＢ検出回路５８とを制御し、撮影準備処理を実施するとともに、レリーズボタン２５の全押しに応じて被写体光の撮像を実施する。
【００４２】
カメラシステム１０は、カメラ本体１１に装填されるメモリカード７９とレンズユニット１２に装填されるメモリカード６５とを有しており、撮像した画像データをメモリカード７９に記録する本体側記録モードと、メモリカード６５に記録するレンズ側記録モードとの２つの記録モードが設けられている。各記録モードの設定は、例えば、メニューボタン３４と十字キー３５との操作によって、メニュー画面のリストから設定される。また、各システムメモリ５４、７２には、どちらの記録モードが設定されているかを示す記録モード設定フラグ５４ａ、７２ａが設けられている。各記録モード設定フラグ５４ａ、７２ａは、例えば、１ｂｉｔのフラグであって、本体側記録モードが設定されている際に「０」に設定され、レンズ側記録モードが設定されている際に「１」に設定される。
【００４３】
本体ＣＰＵ７０は、操作部３２の操作によって各記録モードが設定されると、その設定に合わせて記録モード設定フラグ７２ａの状態を変化させるとともに、各制御用シリアルドライバ６１、７３を介してレンズＣＰＵ４８にフラグの設定情報を送信する。設定情報を受信したレンズＣＰＵ４８は、その設定に合わせて記録モード設定フラグ５４ａの状態を変化させる。このように、各記録モード設定フラグ５４ａ、７２ａは、常に同じ状態になるように制御される。これにより、レンズＣＰＵ４８は、逐一カメラ本体１１にアクセスせずとも、各記録モードの状態を知ることができる。
【００４４】
本体側記録モードが設定されている場合、レンズＣＰＵ４８は、ＣＣＤ１４で撮像され、圧縮伸長処理回路５６で所定の圧縮形式に圧縮された画像データを、各画像用シリアルドライバ６２、７４を介してカメラ本体１１に送信する。レンズユニット１２から画像データを受信した本体ＣＰＵ７０は、その画像データを撮影結果としてＬＣＤ３０に表示するとともに、メモリカード７９に記録する。
【００４５】
一方、レンズ側記録モードが設定されている場合、レンズＣＰＵ４８は、ＣＣＤ１４で撮像され、圧縮伸長処理回路５６で所定の圧縮形式に圧縮された画像データをメモリカード６５に記録する。また、これとともに同じ画像データを画素間引回路６０に送って、所定のデータ量に縮小した間引き画像データを作成し、作成した間引き画像データをカメラ本体１１に送信する。なお、間引き画像データは、データ量が小さいので、各画像用シリアルドライバ６２、７４からではなく、各制御用シリアルドライバ６１、７３から送信する。また、これ以降では、間引き画像データと区別するため、各メモリカード６５、７９に記録される間引き前の画像データを、「記録画像データ」と称す。
【００４６】
レンズユニット１２から間引き画像データを受信した本体ＣＰＵ７０は、その間引き画像データを撮影結果としてＬＣＤ３０に表示する。なお、間引き画像データは、ＬＣＤ３０に表示した後に消去してもよいし、再生表示用としてメモリカード７９に記録するようにしてもよい。また、メモリカード７９に記録する際には、例えば、メモリカード６５に記録した記録画像データと間引き画像データとに共通のシリアルナンバーを付与するなどして、各画像データが対応付けられるようにしてもよい。
【００４７】
また、各ＣＰＵ４８、７０は、撮像を行う前に各残容量検出回路６４、７８を制御して各メモリカード６５、７９の残容量を検出し、各メモリカード６５、７９の残容量が記録画像データのデータ量以上空いているか否かを判定する。各ＣＰＵ４８、７０の判定結果は、各システムメモリ５４、７２に設けられた容量判定結果フラグ５４ｂ、７２ｂに記憶される。各容量判定結果フラグ５４ｂ、７２ｂは、例えば、２ｂｉｔのフラグであって、各メモリカード６５、７９の双方の残容量が空いている場合に「００」に設定され、メモリカード７９の残容量のみが空いていない場合に「０１」に設定され、メモリカード６５の残容量のみが空いていない場合に「１０」に設定され、双方の残容量が空いていない場合に「１１」に設定される。なお、各記録モード設定フラグ５４ａ、７２ａと同様に、各容量判定結果フラグ５４ｂ、７２ｂは、常に同じ状態になるように制御される。
【００４８】
次に、図５、及び図６に示すフローチャートを参照しながら、上記構成によるカメラシステム１０の作用について説明する。カメラシステム１０で撮影を行うためには、まずレンズユニット１２をカメラ本体１１に取り付け、カメラ本体１１に設けられた電源スイッチ２８をＯＮにする。電源スイッチ２８をＯＮにすると、その操作に応じて電源制御回路８２がＤＣ／ＤＣ８１に変圧後の電力を出力させる。ＤＣ／ＤＣ８１は、カメラ本体１１の各部に電力が供給し、カメラ本体１１を起動させる。起動したカメラ本体１１の本体ＣＰＵ７０は、レンズユニット１２の電源制御回路６８に電源制御信号を送信する。電源制御信号を受信した電源制御回路６８は、ＤＣ／ＤＣ６７に変圧後の電力を出力させてレンズユニット１２の各部に電力を供給し、レンズユニット１２を起動させる。これにより、カメラシステム１０が起動し、撮影が可能な状態になる。
【００４９】
起動した各ＣＰＵ４８、７０は、モード切替ダイヤル２６の操作から撮影モードが選択されたことに応じて各残容量検出回路６４、７８をそれぞれ制御し、各メモリカード６５、７９の残容量の検出を行う。メモリカード６５の残容量を検出したレンズＣＰＵ４８は、残容量が記録画像データのデータ量以上空いているか否かを判定し、その判定結果を各制御用シリアルドライバ６１、７３を介してカメラ本体１１に送信する。また、メモリカード７９の残容量を検出した本体ＣＰＵ７０は、残容量が記録画像データのデータ量以上空いているか否かを判定し、その判定結果とレンズＣＰＵ４８から送られた判定結果とを合わせて、これらの各判定結果に応じた状態に容量判定結果フラグ７２ｂを設定する。容量判定結果フラグ７２ｂを設定した本体ＣＰＵ７０は、その設定情報をレンズユニット１２に送信する。レンズＣＰＵ４８は、受信した設定情報に合わせて容量判定結果フラグ５４ｂを設定する。
【００５０】
各メモリカード６５、７９の双方の残容量が記録画像データのデータ量以上空いていると判定された場合には、操作部３２を操作することによって、各記録モードを任意に設定することができる。各ＣＰＵ４８、７０は、設定された記録モードに合わせて各記録モード設定フラグ５４ａ、７２ａの状態を変更する。
【００５１】
各記録モードの設定が終了すると、レンズＣＰＵ４８は、各画像用シリアルドライバ６２、７４を介してスルー画用の画像データを送信する。スルー画用の画像データとしては、例えば、ＹＣ変換処理回路５５でＹＣ変換された画像データを画素間引回路６０で所定のデータ量に縮小したものが用いられる。スルー画用の画像データを受信した本体ＣＰＵ７０は、その画像データをＬＣＤドライバ７６に入力し、ＬＣＤ３０にスルー画を表示させる。
【００５２】
スルー画が表示された状態でレリーズボタン２５が半押しされると、レンズＣＰＵ４８によってＡＦ検出回路５７、ＡＥ／ＡＷＢ検出回路５８などの各部が制御され、撮影準備処理が実施される。設定された記録モードがレンズ側記録モードである場合、レリーズボタン２５の全押しによってレンズＣＰＵ４８にシャッタレリーズが指示されると、そのときの画像データが圧縮伸長処理回路５６で圧縮処理され、メディアコントローラ６３を経由してメモリカード６５に記録画像データとして記録される。また、レンズＣＰＵ４８は、同じ画像データを画素間引回路６０に入力して、記録画像データに対応した間引き画像データを作成する。
【００５３】
間引き画像データを作成したレンズＣＰＵ４８は、その間引き画像データを各制御用シリアルドライバ６１、７３を介してカメラ本体１１に送信する。本体ＣＰＵ７０は、受信した間引き画像データをＬＣＤドライバ７６に入力し、撮影結果としてＬＣＤ３０に表示させる。このように、レンズ側記録モードでは、データ量の小さい間引き画像データのみがレンズユニット１２からカメラ本体１１に送信されるので、記録画像データ自体を転送していた従来に比して、画像データの転送にかかる消費電力を抑えることができる。また、データ量を小さくすることによって、転送にかかる時間が短くなるので、単位時間あたりの連写枚数を増やすこともできる。さらに、間引き画像データを各制御用シリアルドライバ６１、７３を介して転送することにより、各画像用シリアルドライバ６２、７４を使用せずにすむので、消費電力をさらに抑えることができる。但し、間引き画像データは、もちろん各画像用シリアルドライバ６２、７４で転送してもよい。
【００５４】
一方、設定された記録モードが本体側記録モードである場合、レリーズボタン２５の全押しによってレンズＣＰＵ４８にシャッタレリーズが指示されると、圧縮伸長処理回路５６で圧縮処理された記録画像データが、各画像用シリアルドライバ６２、７４を介してカメラ本体１１に送信される。本体ＣＰＵ７０は、受信した記録画像データをＬＣＤドライバ７６に入力し、撮影結果としてＬＣＤ３０に表示するとともに、メモリカード７９に記録する。このように、カメラ本体１１とレンズユニット１２との双方にメモリカードを設けておけば、一方のメモリカードの残容量がなくなったとしても他方のメモリカードで撮影を続行することができる。
【００５５】
また、メモリカード６５の残容量のみが記録画像データのデータ量以上空いており、メモリカード７９の残容量は空いていないと判定された場合、本体ＣＰＵ７０は、ＬＣＤ３０に警告を表示し、メモリカード７９の残容量がないことをユーザに報知する。ＬＣＤ３０に警告を表示した本体ＣＰＵ７０は、例えば、操作部３２による各記録モードの設定を受け付けないようにし、記録モードをレンズ側記録モードのみに設定する。
【００５６】
反対に、メモリカード７９の残容量のみが記録画像データのデータ量以上空いており、メモリカード６５の残容量は空いていないと判定された場合、本体ＣＰＵ７０は、ＬＣＤ３０に警告を表示し、メモリカード６５の残容量がないことをユーザに報知するとともに、記録モードを本体側記録モードのみに設定する。このように、各メモリカード６５、７９の残容量がないと判定された際に、警告表示を行うようにしたので、各メモリカード６５、７９の交換などをユーザに喚起することができる。また、残容量のないメモリカードへの書き込みが行われないように各記録モードを設定するので、各記録モードの設定ミスによる画像データの記録漏れを防止することができる。なお、警告表示は、専用のアイコンなどをオーバーレイ表示させるものでもよいし、警告用の画面に切り替えるものでもよい。さらには、ＬＣＤ３０に限らず、ランプなどを点灯させて警告するようにしてもよいし、音声で警告するようにしてもよい。
【００５７】
また、各メモリカード６５、７９の双方の残容量が記録画像データのデータ量以上空いていないと判定された場合、本体ＣＰＵ７０は、ＬＣＤ３０に警告を表示し、各メモリカード６５、７９の残容量がないことをユーザに報知する。また、この際、レンズＣＰＵ４８は、レリーズボタン２５からのシャッタレリーズ信号を受け付けないようにし、ＣＣＤ１４による撮像動作を禁止する。これにより、無駄な撮影が行われることによる不要な電力消費を防止することができる。なお、上記に限ることなく、例えば、シャッタレリーズ信号が送信されないようにレリーズボタン２５の押圧を阻止することによって、撮像動作を禁止するようにしてもよい。また、シャッタレリーズが行われた後、取得された記録画像データ、もしくは間引き画像データのカメラ本体１１への転送を防止することによって不要な電力消費を抑えるようにしてもよいし、記録画像データの各メモリカード６５、７９への記録を防止することによって不要な電力消費を抑えるようにしてもよい。
【００５８】
なお、上記実施形態では、各メモリカード６５、７９の残容量を検出し、残容量が記録画像データのデータ量以上空いているか否かのみを判定するようにしているが、図７に示すように、各メモリカード６５、７９の残容量が予め決められた設定値以上空いているか否かを判定をするようにしてもよい。設定値は、例えば、記録画像データをあと数枚（例えば、４〜５枚）分記録できる程度に決めておけばよい。図７では、各メモリカード６５、７９の残容量が記録画像データのデータ量以上空いているか否かを判定する前に、各メモリカード６５、７９の残容量が設定値以上空いているか否かを判定し、各残容量が、設定値以下かつ記録画像データのデータ量以上のときに、各メモリカード６５、７９の残容量が少ないことをＬＣＤ３０に表示するようにしている。これにより、各メモリカード６５、７９の交換時期などを予めユーザに報知することができるとともに、各メモリカード６５、７９の残容量を考慮した各記録モードの設定をユーザに促すことができる。
【００５９】
また、上記実施形態では、第１、第２記憶手段として、それぞれ着脱自在なメモリカード６５、７９を示しているが、各記憶手段は、これに限ることなく、例えば、基板上に実装される不揮発性メモリなどであってもよい。
【００６０】
さらに、上記実施形態では、撮影専用に構成されたカメラ本体１１を本体ユニットとし、このカメラ本体１１とレンズユニット１２とからなるカメラシステム１０を撮像システムとしているが、これに限ることなく、例えば、ＰＤＡやノートパソコンなどといった電子機器を本体ユニットとし、これらにレンズユニットを取り付けて撮像システムを構築するようにしてもよい。
【図面の簡単な説明】
【００６１】
【図１】カメラシステムの構成を概略的に示す斜視図である。
【図２】カメラ本体を背面から見た平面図である。
【図３】レンズユニットの内部構成を概略的に示すブロック図である。
【図４】カメラ本体の内部構成を概略的に示すブロック図である。
【図５】カメラシステムの撮影手順を示すフローチャートである。
【図６】各記録モードの処理手順を示すフローチャートである。
【図７】各メモリカードの残容量が予め決められた設定値以上空いているか否かを判定する例を示すフローチャートである。
【符号の説明】
【００６２】
１０  カメラシステム（撮像システム）
１１  カメラ本体（本体ユニット）
１２  レンズユニット
１３  撮影レンズ
１４  ＣＣＤ（撮像素子）
１５  マウント部
１８  マウント部
３０  ＬＣＤ（表示手段、警告手段）
４８  レンズＣＰＵ（第１判定手段）
６０  画素間引回路（間引き画像作成手段）
６１  制御用シリアルドライバ（第１通信手段）
６２  画像用シリアルドライバ（第１通信手段）
６４  残容量検出回路（第１残容量検出手段）
６５  メモリカード（第１記憶手段）
７０  本体ＣＰＵ（第２判定手段、記録モード制御手段）
７３  制御用シリアルドライバ（第２通信手段）
７４  画像用シリアルドライバ（第２通信手段）
７８  残容量検出回路（第２残容量検出手段）
７９  メモリカード（第２記憶手段）
【図１】
2007110314.tif 000003
【図２】
2007110314.tif 000004
【図３】
2007110314.tif 000005
【図４】
2007110314.tif 000006
【図５】
2007110314.tif 000007
【図６】
2007110314.tif 000008
【図７】
2007110314.tif 000009